(57)【要約】【課題】仕切り用紙を複数枚の原稿Ｐの境界に挿入せずに複数の原稿を自動で読み取って、資料毎の区切りにおいて自動で資料毎に仕分けする。【解決手段】画像処理装置１は、識別用紙が貼付された複数枚の原稿Ｐを１枚ずつ送り出す自動原稿送り部１１と、自動原稿送り部１１により１枚ずつ送り出された原稿Ｐから画像データを読み取る画像読取り部１３と、画像読取り部１３により読み取られた画像データに基づいて識別用紙が貼り付けられた原稿Ｐを特定し、特定した原稿Ｐを基準に画像データの区切り位置を決定する制御部１４（区切り手段１４ａ）とを備える。【選択図】      図１
2015162775.tif 000002
【特許請求の範囲】
【請求項１】
複数枚の原稿のうち１枚以上に識別用紙が貼り付けられて載置され、前記載置された複数枚の原稿を１枚ずつ送り出す自動原稿送り手段と、
前記自動原稿送り手段により１枚ずつ送り出された原稿から画像データを読み取る画像読取り手段と、
前記画像読取り手段により読み取られた画像データに基づいて前記識別用紙が貼り付けられた原稿を特定し、前記識別用紙が貼り付けられた原稿を基準に前記画像データの区切り位置を決定する区切り手段と、
を備えたことを特徴とする画像処理装置。
【請求項２】
前記原稿は、搬送方向の後端側に突出して前記識別用紙が貼付されており、
前記画像読取り手段は、印刷設定情報に基づいて前記搬送される原稿の後端部から所定領域を含めて前記原稿の画像データを読み取り、
前記区切り手段は、前記所定領域内に前記識別用紙が貼り付けられた原稿を特定し、前記識別用紙が貼り付けられた原稿を基準に前記画像データの区切り位置を決定し、
前記画像読取り手段により読み取られた画像データに基づいて、前記識別用紙が前記原稿の表側または裏側のいずれに貼付されているか否かを判定する表裏貼付け判定手段と、
前記表裏貼付け判定手段により前記識別用紙が表側に貼付されていると判定された場合、前記画像データから所定領域の画像を削除すると共に、前記読み取られた識別用紙の画像を消去する一方、前記表裏貼付け判定手段により前記識別用紙が裏側に貼付されていると判定された場合、前記画像データから所定領域の画像を削除する画像加工手段と、をさらに備えた
ことを特徴とする請求項１記載の画像処理装置。
【発明の詳細な説明】
【技術分野】
【０００１】
本発明は、複数枚の原稿を順番に読取り、自動で複数のグループに分割する画像処理装置に関する。
【背景技術】
【０００２】
コピー機や複合機などの画像処理装置では、原稿読取り（スキャナ）機能を用いて、読み取った原稿のデータをＰＤＦ等のファイルに変換して保存する機能がある。ここで、スキャナ機能と自動原稿送り装置（ＡＤＦ）を組み合わせて多数の原稿を連続して読み取る装置の場合、多数の原稿を連続で読み込ませて１つのファイルとして保存することができる。
【０００３】
しかし、自動原稿送り装置により自動で読み取る多数枚の原稿が複数の資料からなり、複数の資料毎にファイルを分けて保存したい場合は、スキャン後に手動でファイルを分割するか、資料毎にスキャンとファイル保存の操作をユーザが繰り返し行う必要があり手間が増えてしまう。
【０００４】
そこで、例えば、多数の原稿のうちファイル分割の境界、すなわち１つの資料の最後ページの後に仕切り用紙を挿入してからスキャナで読み込ませ、スキャナで読み取ったデータを１ページ毎にチェックして、仕切り用紙を検出した場合は、そこを基準にファイルを分割して保存する画像処理装置が提案されている（例えば、特許文献１参照。）
【先行技術文献】
【特許文献】
【０００５】
【特許文献１】特開２００６-１６５８６３号公報
【発明の概要】
【発明が解決しようとする課題】
【０００６】
しかし、上述の画像処理装置では、読み取るべき多数の原稿内においてファイル分割の境界である資料の区切り位置に、仕切り用紙を挿入する必要があるため、挿入した仕切り用紙の枚数分だけ読取り枚数が増加する。その結果、その分だけ読み取り時間が増大すると共に、自動原稿送り装置に積載可能な原稿枚数が限られている場合、実際に読み取れる原稿枚数が仕切り用紙の枚数分だけ少なくなってしまうという問題がある。
【０００７】
また、原稿読み取り装置では、用紙幅が同じものでないと連続して読み取れない場合が多い。そのため、上述の画像処理装置では、原稿の用紙サイズに合う仕切り用紙を用意する必要があるが、多種の用紙サイズを取り扱う場合に、仕切り用紙を多種、多数用意する必要があり、コストの増大やその保管スペースが必要であるという問題がある。また、読み取るべき原稿のサイズに応じたサイズの仕切り用紙を挿入する必要があるため、作業性が悪いという問題もある。
【０００８】
本発明はこのような問題に鑑みてなされたもので、仕切り用紙を複数枚の原稿の境界に挿入せずに複数の原稿を画像読取り装置で読み取って、資料の区切り位置において自動で資料毎に仕分けすることができる画像処理装置を提供することを目的とする。
【課題を解決するための手段】
【０００９】
上記目的を達成するため、本発明に係る画像処理装置の第１の特徴は、複数枚の原稿のうち１枚以上に識別用紙が貼り付けられて載置され、前記載置された複数枚の原稿を１枚ずつ送り出す自動原稿送り手段と、前記画像読取り手段により読み取られた画像データに基づいて前記識別用紙が貼り付けられた原稿を特定し、前記識別用紙が貼り付けられた原稿を基準に前記画像データの区切り位置を決定する区切り手段と、を備えたことにある。
【００１０】
また、本発明に係る画像処理装置の第２の特徴は、前記原稿は、搬送方向の後端側に突出して前記識別用紙が貼付されており、前記画像読取り手段は、印刷設定情報に基づいて前記搬送される原稿の後端部から所定領域を含めて前記原稿の画像データを読み取り、前記区切り手段は、前記所定領域内に前記識別用紙が貼り付けられた原稿を特定し、前記識別用紙が貼り付けられた原稿を基準に前記画像データの区切り位置を決定し、前記画像読取り手段により読み取られた画像データに基づいて、前記識別用紙が前記原稿の表側または裏側のいずれに貼付されているか否かを判定する表裏貼付け判定手段と、前記表裏貼付け判定手段により前記識別用紙が表側に貼付されていると判定された場合、前記画像データから所定領域の画像を削除すると共に、前記読み取られた識別用紙の画像を消去する一方、前記表裏貼付け判定手段により前記識別用紙が裏側に貼付されていると判定された場合、前記画像データから所定領域の画像を削除する画像加工手段と、をさらに備えたことにある。
【発明の効果】
【００１１】
本発明に係る画像処理装置の第１の特徴によれば、一枚以上の原稿に識別用紙が貼り付けられた複数枚の原稿から読み取った画像データに基づいて識別用紙が貼り付けられた原稿を特定し、識別用紙が貼り付けられた原稿を基準に画像データの区切り位置を決定するようにしたため、仕切り用紙を複数枚の原稿の境界に挿入せずに複数の原稿を画像読取り装置で読み取って、資料の区切り位置において自動で資料毎に仕分けすることができる。
【００１２】
その結果、仕切り用紙が不要になる分だけ原稿の読み取り時間が短縮すると共に、自動原稿送り装置における原稿の読み取り枚数に悪影響を与えることを防止できる。また、原稿の用紙サイズに合わせて仕切り用紙を各種サイズ用意する必要がなくなり、その分だけコストを削減できると共に、その保管スペースも不要になる。
【００１３】
また、本発明に係る画像処理装置の第２の特徴によれば、識別用紙が原稿の表側または裏側のいずれに貼付されているか否かを判定して、識別用紙が原稿の表側に貼付けされていると判定された場合、画像データから所定領域の画像を削除すると共に、識別用紙の画像を消去する一方、識別用紙が原稿の裏側に貼付けされていると判定された場合、画像データから所定領域の画像を削除する。そのため、識別用紙が原稿の表側に貼り付けられている場合には、識別用紙の影響を確実に除去して原稿から読み取るべき画像を読み取ることができる。また、識別用紙が裏側に貼り付けられている場合には、所定領域の画像を削除するだけで済むので、画像処理が簡単で済み、画像処理に起因するスキャン処理の生産性低下を防ぐことができる。
【図面の簡単な説明】
【００１４】
【図１】本発明に係る実施例１の画像処理装置の構成例を示すブロック図である。
【図２】本発明に係る実施例１の画像処理装置が読み込む原稿の一例を示す図である。
【図３】図２に示す原稿において区切りとなるページに糊付き付箋紙を貼り付けた一例を示す図である。
【図４】本発明に係る実施例１の画像処理装置のスキャン動作例を示すフローチャートである。
【図５】識別用紙である糊付き付箋紙が貼り付けられている場合といない場合の画像データの違いを示す図で、（ａ）は糊付き付箋紙が貼り付けられていない場合の原稿とその画像データ、（ｂ）は糊付き付箋紙が貼り付けられている場合の原稿とその画像データを示す図である。
【図６】（ａ）〜（ｄ）は、原稿の表側に糊付き付箋紙が貼り付けられた場合における制御部の画像処理の手順を示す図である。
【図７】（ａ）〜（ｃ）は、原稿の裏側に糊付き付箋紙が貼り付けられた場合における制御部の画像処理の手順を示す図である。
【図８】実施例２の画像処理装置が読み取る原稿において区切りとなるページに色が異なる糊付き付箋紙を貼り付けた一例を示す図である。
【図９】実施例２の画像処理装置１における色が異なる糊付き付箋紙毎の設定例を示す図である。
【発明を実施するための形態】
【００１５】
以下、本発明に係る実施例の画像処理装置１について説明する。なお、以下に説明する実施例の画像処理装置１は、本発明に係る画像処理装置の一例であり、本発明の技術的思想の範囲内において適宜変更可能である。
【００１６】
（実施例１）
図１は、本発明に係る実施例１の画像処理装置１の構成例を示すブロック図である。
【００１７】
図１に示すように、本発明に係る実施例１の画像処理装置１は、自動原稿送り部１１と、原稿センサ１２と、画像読取リ部１３と、制御部１４と、メモリ１５と、プログラム記憶部１６と、操作パネル部１７と、印刷実行部１８と、ネットワークＩ／Ｆ部１９とを備えネットワークＩ／Ｆ部１９およびネットワーク２を介してＰＣ（personal computer）等の情報通信端末３と接続されている。
【００１８】
自動原稿送り部１１は、ＡＤＦ（Auto Document Feeder）等と呼ばれる装置で、複数枚の原稿Ｐが載置され、例えば、操作パネル部１７におけるコピー開始ボタンやスキャン開始ボタンが押されると、載置された原稿Ｐを１枚ずつ画像読取リ部１３へ送り出す。ここで、本発明に係る実施例１では、原稿の区切りとなるページに識別用紙として、原稿Ｐの表側または裏側に何度も貼り付けたり、剥がすことが可能である糊付き付箋紙Ｆを使用する。なお、糊付き付箋紙Ｆには、赤色や黄色、青色などの有彩色が付されている。
【００１９】
原稿センサ１２は、自動原稿送り部１１に原稿Ｐが載置されたことや、載置された原稿Ｐのサイズや、糊付き付箋紙Ｆの含めた原稿Ｐの搬送方向の長さ等を検出して制御部１４に送る。
【００２０】
画像読取リ部１３は、ＣＣＤ（Charge Coupled Device）素子やＣＭＯＳ（Complementary Metal-Oxide Semiconductor）等の画像読取センサからなり、制御部１４からの指令に基づいて自動原稿送り部１１より１枚ずつ送られてきた各原稿Ｐから画像データを読み取る。
【００２１】
制御部１４は、ＣＰＵ（Central Processing Unit）等から構成され、画像処理装置１全体の制御を実行すると共に、プログラム記憶部１６に記憶されたスキャン動作制御プログラム１６ａを実行することにより、後述するように本発明の区切り手段１４ａ、表裏貼付け判定手段１４ｂ、画像加工手段１４ｃとして機能する。
【００２２】
メモリ１５は、画像読取り部１３が読み取った画像データや、制御部１４が画像処理した画像データや、各種必要なデータ等を記憶する。
【００２３】
プログラム記憶部１６は、制御部１４が実行する各種プログラムが記憶されていると共に、上述のように制御部１４を本発明の区切り手段１４ａ、表裏貼付け判定手段１４ｂ、画像加工手段１４ｃとして機能させるためのスキャン動作制御プログラム１６ａ等が記憶している。
【００２４】
操作パネル部１７は、コピー開始ボタンやスキャン開始ボタンやモニタ部等を備え、画像処理装置１に対するユーザからの各種操作を受付けると共に、画像処理装置１における各種の設定や動作状態をモニタ部に表示する。
【００２５】
印刷実行部１８は、インクジェット方式、すなわちブラック、シアン、マゼンダ、イエロー等の各色のインクヘッドからインクを吐出して印刷用紙に対し画像を形成するもので、印刷ジョブや画像読取り部１３が読み取った画像データに基づいて用紙に対してインクを吐出することにより印刷を行う。なお、印刷実行部１８は、インクジェット式に限らず、孔版印刷や、レーザー印刷方式でも良い。
【００２６】
ネットワークＩ／Ｆ部１９は、この画像処理装置１をネットワーク２を介してＰＣ等の端末装置３に接続する。
【００２７】
図２は、本発明に係る実施例１の画像処理装置１が読み込む原稿Ｐの一例を示す図である。
【００２８】
図２に示すように、この画像処理装置１が読み込む原稿Ｐは、例えば、ページ１〜ページ７の資料１〜３から構成される。詳細には、ページ１およびページ２の資料１と、ページ３およびページ４の資料２と、ページ５〜ページ７の資料３の３つの資料から構成されている。
【００２９】
図３は、図２に示す原稿において区切りとなるページに糊付き付箋紙Ｆを貼り付けた一例を示す図である。
【００３０】
図２に示すような３つの資料１〜３からなる原稿があって、この画像処理装置１で資料１〜３の境界で資料を仕分ける場合、ユーザは、図３に示すように資料１の最終ページであるページ２の原稿Ｐの上端側と、資料２の最終ページであるページ４の原稿Ｐの上端側と、資料３の最終ページであるページ７の原稿Ｐの上端側にそれぞれ識別用紙である糊付き付箋紙Ｆを貼り付ける。
【００３１】
次に、以上のように構成された画像処理装置１のスキャン動作について説明する。
【００３２】
図４は、本発明に係る実施例１の画像処理装置１のスキャン動作例を示すフローチャートである。
【００３３】
まず、ユーザによって図３に示すように資料１〜３の境界の原稿Ｐの一部に識別用紙である糊付き付箋紙Ｆが貼り付けられた複数毎の原稿Ｐが自動原稿送り部１１に載置され、操作パネル部１７におけるスキャン開始ボタン等が押されると、制御部１４は、原稿センサ１２からのセンサ出力に基づいて自動原稿送り部１１に複数毎の原稿Ｐが載置されたことを検出すると共に、操作パネル部１７のスキャン開始ボタンからのスキャン開始信号を受信して（ステップＳ１１０“ＹＥＳ”）、ステップＳ１３０およびステップＳ１５０の初期設定をした後、スキャン動作を開始する。
【００３４】
つまり、制御部１４は、プログラム記憶部１６に記憶されたスキャン動作制御プログラム１６ａを実行することにより、まずは初期設定として、１セットの資料が原稿Ｐの何枚目から開始するかを示す情報“set start”の値を１にセットすると共に（ステップＳ１３０）、識別用紙である糊付き付箋紙Ｆが何枚目の原稿Ｐに貼り付けされているかを示す情報“ｉ”の値を１にセットする（ステップＳ１５０）。
【００３５】
初期設定完了後、制御部１４はスキャン動作を開始するため、まずは自動原稿送り部１１を駆動して複数毎の原稿Ｐを１枚ずつ画像読取り部１３に送り出させ（ステップＳ１７０）、自動原稿送り部１１から１枚ずつ送り出された各原稿Ｐの画像を画像読取り部１３に読み取らせ、画像データとしてメモリ１５に記憶すると共に（ステップＳ１９０）、読み取った原稿Ｐの枚数をカウントして、その総枚数Ｎをメモリ１５に記憶する（ステップＳ２１０）。
【００３６】
次に、制御部１４は、メモリ１５に記憶した画像データを読み出して、ｉ枚目の原稿Ｐに資料１〜３の境界となる画像データの区切り位置（区切りページ）を示す糊付き付箋紙Ｆが貼り付けられているか否かを判定する（ステップＳ２３０）。
【００３７】
ここで、制御部１４は、原稿Ｐの画像データに糊付き付箋紙Ｆが貼り付けられているか否かは、例えば、原稿Ｐのサイズが同じ場合、糊付き付箋紙Ｆが貼り付けられた原稿Ｐの画像データは、糊付き付箋紙Ｆが貼り付けられていない原稿Ｐの画像データよりも搬送方向に長くなる。
【００３８】
図５は、糊付き付箋紙Ｆが貼り付けられている場合と、糊付き付箋紙Ｆが貼り付けられていない場合の画像データの違いを示す図で、（ａ）は糊付き付箋紙Ｆが貼り付けられていない場合の原稿とその画像データ、（ｂ）は原稿Ｐの表側に糊付き付箋紙Ｆが貼り付けられている場合の原稿とその画像データを示す図である。
【００３９】
図５（ａ）に示すように、糊付き付箋紙Ｆが貼り付けられていない場合の原稿Ｐの場合、画像データもその原稿Ｐのサイズとほぼ変わらない。なお、原稿ＰがＡ４サイズであれば、横方向の長さは２１．０（ｃｍ）、縦方向の長さは２９．７（ｃｍ）である。
【００４０】
これに対し、図５（ｂ）に示すように糊付き付箋紙Ｆが貼り付けられた原稿Ｐの場合、原稿センサ１２のセンサ出力等に基づいて原稿Ｐに貼り付けられた糊付き付箋紙Ｆも画像データＤに含まれて読み取られる。そのため、原稿Ｐの搬送方向における画像Ｄの長さは、原稿Ｐから糊付き付箋紙Ｆがはみ出している分だけ長くなる。
【００４１】
ここで、この糊付き付箋紙Ｆは、原稿Ｐの色とは異なる有彩色のものを使用しているため、制御部１４は、原稿Ｐの縦方向の長さ、Ａ４サイズであれば２９．７ｃｍを超える所定領域に矩形で有彩色の糊付き付箋紙Ｆの画像Ｄｉが存在する場合には、糊付き付箋紙Ｆが貼り付けられた原稿Ｐと判定することができる。なお、所定領域は、糊付き付箋紙Ｆの長さにもよるが原稿Ｐの後端部から数ｃｍ程度である。
【００４２】
また、制御部１４は、原稿Ｐを読み取った画像Ｄの搬送方向における長さの違いにより原稿Ｐに糊付き付箋紙Ｆが貼り付けられているか否かを判定できる。なお、読み取るべき資料に用紙サイズの異なる原稿が混在している場合には、画像データの長さでは判断不可になるため、読み取った画像データの縦横比に基づいて、その縦横比が所定のＡ４サイズやＡ３サイズ、Ｂ５サイズと異なる縦横比を参照し、原稿Ｐの搬送方向である縦方向に大きい場合には、糊付き付箋紙Ｆが貼り付けられているものと判断できる。
【００４３】
ステップＳ２３０において、ｉ枚目の原稿Ｐに画像データの区切り位置である原稿１〜３の境界を示す糊付き付箋紙Ｆが貼り付けられていないと判定した場合（ステップＳ２３０“Ｎｏ”）、制御部１４は、ｉを＋１だけインクリメントして（ステップＳ２５０）、続いてｉが読み取った原稿Ｐの総枚数Ｎになったか否かを判定する（ステップＳ２７０）。
【００４４】
そして、ｉが読み取った原稿Ｐの総枚数Ｎに等しい場合（ステップＳ２７０“Ｙｅｓ”）、制御部１４は、以上のスキャン処理を終了する。これに対し、ｉが読み取った原稿Ｐの総枚数Ｎに等しくない場合、すなわちｉが読み取った原稿Ｐの総枚数Ｎよりも小さい場合（ステップＳ２７０“Ｎｏ”）、制御部１４は、ステップＳ２３０の処理に戻って再度ｉ枚目の原稿Ｐに画像データの区切り位置である原稿１〜３の境界を示す糊付き付箋紙Ｆが貼り付けられているか否かを判定して、それ以降の処理を繰り返す。
【００４５】
これに対し、ステップＳ２３０の処理で、ｉ枚目の原稿Ｐに原稿１〜３の境界を示す糊付き付箋紙Ｆが貼り付けられていると判定した場合（ステップＳ２３０“Ｙｅｓ”）、制御部１４は、表裏貼付け判定手段１４ｂとして機能して、画像読取り部１３により読み取られメモリ１５に記憶された画像Ｄに基づいて、糊付き付箋紙Ｆが原稿Ｐの表側に貼り付けられているか、あるいは裏側に貼り付けられているかを判定する（ステップＳ２９０）。
【００４６】
糊付き付箋紙Ｆが原稿Ｐの表側に貼り付けられたのか否かについては、制御部１４は、例えば、画像読取り部１３が読み取ってメモリ１５に記憶しておいた画像Ｄに基づいて、原稿Ｐの縦方向（搬送方向）における後端部の所定領域である原稿Ｐより外側の所定領域だけでなく、原稿Ｐ内の領域に糊付き付箋紙Ｆの画像Ｄｉが存在するか否かにより判定できる。
【００４７】
そして、糊付き付箋紙Ｆが原稿Ｐの表側に貼り付けられていると判定した場合（ステップＳ２９０“Ｙｅｓ”）、制御部１４は、画像加工手段１４ｃとして機能して、画像Ｄから所定領域の画像を削除すると共に（ステップＳ３１０）、糊付き付箋紙Ｆの画像を消去する（ステップＳ３３０）。
【００４８】
これに対し、糊付き付箋紙Ｆが原稿Ｐの裏側に貼付されていると判定された場合（ステップＳ２９０“Ｎｏ”）、制御部１４は、画像加工手段１４ｃとして機能して、ステップＳ３１０の処理同様に画像Ｄから所定領域の画像を削除する（ステップＳ３５０）。なお、糊付き付箋紙Ｆが原稿Ｐの裏側に貼付されていると判定された場合、ステップＳ３３０の処理は不要であるため、実行しない。
【００４９】
図６（ａ）〜（ｄ）は、原稿Ｐの表側に糊付き付箋紙Ｆが貼り付けられた場合における制御部１４の画像処理の手順を示す図である。
【００５０】
まず、図６（ａ）に示すように表側に糊付き付箋紙Ｆが貼り付けられた原稿Ｐを画像読取り部１３が読み取った画像Ｄには、図６（ｂ）に示すように原稿Ｐの後端側に糊付き付箋紙Ｆの画像Ｄｉも含まれる。
【００５１】
そのため、制御部１４は、ステップＳ３１０の処理により、図６（ｃ）に示すように画像読取り部１３が読み取った画像Ｄから、原稿Ｐのサイズを超える原稿Ｐの後端側の所定領域の画像Ｄｏを削除する。
【００５２】
しかし、原稿Ｐの表側に糊付き付箋紙Ｆが貼り付けられた場合、原稿Ｐのサイズを超える所定領域の画像Ｄｏを削除しても、図６（ｃ）に示すように画像Ｄ内に、糊付き付箋紙Ｆの画像Ｄｉが残っているため、続いて図６（ｄ）に示すように画像Ｄ内に残っている糊付き付箋紙Ｆの画像Ｄｉを削除または原稿Ｐの用紙と同色で塗り潰す処理等を行う。
【００５３】
図７（ａ）〜（ｃ）は、原稿Ｐの裏側に糊付き付箋紙Ｆが貼り付けられた場合における制御部１４の画像処理の手順を示す図である。
【００５４】
まず、図７（ａ）に示すように裏側に糊付き付箋紙Ｆが貼り付けられた原稿Ｐを画像読取り部１３が読み取った画像Ｄには、図７（ｂ）に示すように原稿Ｐの後端側に糊付き付箋紙Ｆの画像Ｄｉも含まれる。
【００５５】
そのため、制御部１４は、ステップＳ３５０の処理により、図７（ｃ）に示すように画像読取り部１３が読み取った画像Ｄから、原稿Ｐのサイズを超える原稿Ｐの後端側の所定領域の画像Ｄｏを削除する。
【００５６】
すると、原稿Ｐの裏側に糊付き付箋紙Ｆが貼り付けられた場合であるので、原稿Ｐのサイズを超える所定領域の画像Ｄｏを削除するだけで、図７（ｃ）に示すように画像Ｄから糊付き付箋紙Ｆの画像Ｄｉを削除することができる。
【００５７】
図４に戻り、ステップＳ３１０〜３５０の処理により画像Ｄから糊付き付箋紙Ｆの画像Ｄｉを削除する画像加工処理が終了すると、制御部１４は、続いて、区切り手段１４ａとして機能して識別用紙である糊付き付箋紙Ｆが貼り付けられた原稿Ｐを特定して、糊付き付箋紙Ｆが貼り付けられた原稿Ｐを基準に画像データの区切り位置を決定し、その区切り位置により区切られた画像データをそれぞれ１つのファイルとして記憶する。つまり、制御部１４は、有彩色の糊付き付箋紙Ｆにより区切られたset start枚目の原稿からｉ枚目の原稿を画像データの区切り位置として決定し、その区切り位置により区切られた画像データをそれぞれ１つのファイルとしてメモリ１５や、ネットワークＩ／Ｆ部１９およびネットワーク２を介して情報通信端末３に記憶する（ステップＳ３７０）。
【００５８】
これにより、識別用紙である糊付き付箋紙Ｆが貼り付けられた原稿Ｐまでが１つのファイルとしてメモリ１５に記憶され、糊付き付箋紙Ｆが貼り付けられた原稿Ｐ毎に１つのファイルとしてメモリ１５に記憶される。例えば、図３に示すようにページ２と、ページ４と、ページ７に糊付き付箋紙Ｆが貼り付けられている場合、ページ１およびページ２の資料１と、ページ３およびページ４の資料２と、ページ５〜ページ７の資料３の３つの資料をそれぞれ別のファイルとしてメモリ１５に記憶されることになる。
【００５９】
その後、制御部１４は、ステップＳ２５０の処理と同様にｉを“１”だけインクリメントすると共に（ステップＳ３９０）、そのｉをset startにセットして（ステップＳ４１０）、さらにそのｉが読み取った原稿Ｐの総枚数Ｎになったか否かを判定する（ステップＳ２７０）。
【００６０】
そして、ｉが読み取った原稿Ｐの総枚数Ｎに等しくなった場合（ステップＳ２７０“Ｙｅｓ”）、制御部１４は、以上のスキャン処理を終了するのに対し、ｉが読み取った原稿Ｐの総枚数Ｎよりも小さい場合（ステップＳ２７０“Ｎｏ”）、ステップＳ２３０に処理を移行し、再度ｉ枚目の原稿Ｐに原稿１〜３の境界を示す糊付き付箋紙Ｆが貼り付けられているか否かを判定して、それ以降の処理を繰り返す。
【００６１】
従って、本発明に係る実施例１の画像処理装置１によれば、資料の区切り位置を示す糊付き付箋紙Ｆが貼り付けられた複数枚の原稿Ｐから読み取った画像Ｄに基づいて糊付き付箋紙Ｆが貼り付けられた原稿Ｐを特定し、糊付き付箋紙Ｆが貼り付けられた原稿Ｐを基準に画像データの区切り位置を決定して、その区切り位置毎に資料を別ファイルとしてメモリ１５等に記憶する。
【００６２】
そのため、本発明に係る実施例１の画像処理装置１によれば、従来技術のように原稿Ｐとほぼ同じサイズの仕切り用紙を複数枚の原稿Ｐの境界に挿入することなく、区切り位置となる資料に糊付き付箋紙Ｆを貼り付けるだけで、区切り位置毎に資料を別ファイルとして仕分けことができる。その結果、仕切り用紙が不要になる分だけ原稿Ｐの読み取り時間が短縮すると共に、自動原稿送り部１１における原稿Ｐの読み取り枚数に悪影響を与えることを防止できる。また、原稿Ｐの用紙サイズに合わせて仕切り用紙を各種サイズ用意する必要もなくなるので、その分だけコストを削減できると共に、その保管スペースも不要になる。
【００６３】
また、本発明に係る実施例１の画像処理装置１によれば、識別用紙である糊付き付箋紙Ｆが原稿Ｐの表側または裏側のいずれに貼付されているか否かを判定して、糊付き付箋紙Ｆが原稿Ｐの表側に貼付けされている場合には、画像Ｄから所定領域の画像Ｄｏを削除すると共に、糊付き付箋紙Ｆの画像Ｄｉを消去する一方、糊付き付箋紙Ｆが原稿Ｐの裏側に貼付けされている場合、画像Ｄから所定領域の画像Ｄｏを削除する。
【００６４】
その結果、識別用紙である糊付き付箋紙Ｆが原稿Ｐの表側に貼り付けられている場合には、糊付き付箋紙Ｆの画像Ｄｉの影響を確実に除去して原稿Ｐから読み取るべき画像を読み取ることができる。また、糊付き付箋紙Ｆが原稿Ｐの裏側に貼り付けられている場合には、所定領域の画像Ｄｏを削除するだけで済むので、画像処理が簡単で済み、画像処理に起因するスキャン処理の生産性低下を防ぐことができる。
【００６５】
（実施例２）
上述の本発明に係る実施例１では、識別用紙である糊付き付箋紙Ｆに基づいて各資料をその境界で自動的に区切って別ファイルとして保存する画像処理装置１を例に挙げて説明した。
【００６６】
本発明に係る実施例２では、資料を自動的に区切って別ファイルとして保存するだけでなく、さらに糊付き付箋紙Ｆの色の別に基づいてファイル保存時のデータフォーマットや保存先などの設定を自動で実行する画像処理装置１を例に挙げて説明する。
【００６７】
本発明に係る実施例２の画像処理装置１では、ユーザが画像処理装置１の操作パネル部１７などを利用して糊付き付箋紙Ｆの色毎に各資料（ファイル）の各種設定を予め入力しておく必要がある。なお、本発明に係る実施例２の画像処理装置１の構成は、本発明に係る実施例１の画像処理装置１と同様であり、糊付き付箋紙Ｆの色に基づく処理が追加されただけであるので、実施例１の画像処理装置１の構成を参照して説明する。
【００６８】
図８は、本発明に係る実施例２の画像処理装置１が読み取る原稿Ｐにおいて区切りとなるページに色が異なる糊付き付箋紙を貼り付けた一例を示す図である。
【００６９】
図８に示すように、資料１と資料２との区切りである資料１の最終ページ２の原稿Ｐには、例えば黄色の糊付き付箋紙Ｆｙを貼り付ける一方、資料２と資料３との区切りである資料２の最終ページ４の原稿Ｐには、例えば赤色の糊付き付箋紙Ｆｒを貼り付け、資料３の最終ページ７の原稿Ｐには、青色の糊付き付箋紙Ｆｂを貼り付ける。
【００７０】
すると、本発明に係る実施例２の画像処理装置１では、例えば、ステップＳ２３０の処理によりメモリ１５に記憶した画像データを読み出して、原稿Ｐに原稿１〜３の境界を示す糊付き付箋紙Ｆが貼り付けられているか否かを判定する際、糊付き付箋紙Ｆの色も判別する。そして、ステップＳ３７０の処理により、set start枚目の原稿からｉ枚目の原稿を１つのファイルでメモリ１５に記憶する際、糊付き付箋紙Ｆの色に基づいて各資料１〜３毎にデータフォーマットだけでなく、ファイルの保存先も変更する。
【００７１】
図９は、本発明に係る実施例２の画像処理装置１における色が異なる糊付き付箋紙Ｆ毎の設定例を示す図である。
【００７２】
図９に示すように、例えば、黄色の糊付き付箋紙Ｆｙにより区切られたページ１，２からなる資料１の場合は、画像処理装置１の操作パネル部１７によるユーザの設定に基づいて、“ＰＤＦ”のデータフォーマットで、“フォルダ１”に保存される。
【００７３】
赤色の糊付き付箋紙Ｆｒにより区切られたページ３、４からなる資料２の場合は、画像処理装置１の操作パネル部１７によるユーザの設定に基づいて、“Ｔｉｆｆ”のデータフォーマットで、“フォルダ２”に保存される。
【００７４】
青色の糊付き付箋紙Ｆｂにより区切られたページ５〜７からなる資料３の場合は、データフォーマットが“ＰＤＦ”で、“アドレス×××にメール送信”の保存先に基づいて、ネットワークＩ／Ｆ部１９およびネットワーク２を介してアドレス×××の情報通信端末３に送信することができる。
【００７５】
従って、本発明に係る実施例２の画像処理装置１によれば、本発明に係る実施例１の画像処理装置１と同様に、従来技術では必要であった仕切り用紙が不要になるので、その分だけ原稿Ｐの読み取り時間を短縮化することができると共に、自動原稿送り部１１における原稿Ｐの読み取り枚数に悪影響を与えることを防止でき、さらにはコストの削減や保管スペースも不要にできる等の効果が得られる。
【００７６】
また、本発明に係る実施例２の画像処理装置１では、ユーザが画像処理装置１の操作パネル部１７などを利用して糊付き付箋紙Ｆの色毎に各資料（ファイル）の各種設定を予め入力しておくことにより、糊付き付箋紙Ｆに基づいて資料を自動的に区切って別ファイルとして保存できるだけでなく、糊付き付箋紙Ｆの色に基づいてファイル保存時のデータフォーマットや保存先などの設定を自動で実行できる。
【符号の説明】
【００７７】
１…画像処理装置
１１…自動原稿送り部
１２…原稿センサ
１３…画像読取り部
１４…制御部
１４ａ…区切り手段
１４ｂ…表裏貼付け判定手段
１４ｃ…画像加工手段
１５…メモリ
１６…プログラム記憶部
１６ａ…スキャン動作制御プログラム
１７…操作パネル部
１８…印刷実行部
１９…ネットワークＩ／Ｆ部
２…ネットワーク
３…情報通信端末
【図１】
2015162775.tif 000003
【図２】
2015162775.tif 000004
【図３】
2015162775.tif 000005
【図４】
2015162775.tif 000006
【図５】
2015162775.tif 000007
【図６】
2015162775.tif 000008
【図７】
2015162775.tif 000009
【図８】
2015162775.tif 000010
【図９】
2015162775.tif 000011